(57)【特許請求の範囲】
【請求項１】
被写体を撮像して光電変換を行うことにより電子的な画像データを生成する撮像部と、前記画像データに対応する画像を表示する表示部と、を備えた撮像装置であって、
前記画像データに対して、複数の画像処理を組み合わせることにより視覚的な効果を生じさせる特殊効果処理を行って処理画像データを生成する画像処理部と、
前記画像処理部が行う前記特殊効果処理を複数設定する画像処理設定部と、
当該撮像装置の撮影後に、前記画像処理部が生成した複数の前記処理画像データにそれぞれ対応する処理画像を前記表示部に表示させる表示制御部と、
前記表示部が表示する複数の前記処理画像の中からいずれかを選択する指示信号の入力を受け付ける入力部と、
前記画像処理設定部が設定した複数の前記特殊効果処理の中から前記指示信号に応じて選択された前記処理画像に対して施された前記特殊効果処理の設定を解除する解除処理を行う画像処理制御部と、
を備えたことを特徴とする撮像装置。
【請求項２】
前記入力部は、前記表示部の表示画面上に設けられ、外部からの接触を検出し、この検出した位置に応じた位置信号の入力を受け付けるタッチパネルであることを特徴とする請求項１に記載の撮像装置。
【請求項３】
前記特殊効果処理で組み合わされる画像処理は、ぼかし処理、シェーディング追加処理、ノイズ重畳処理および画像合成処理のいずれか１つ以上であることを特徴とする請求項１または２に記載の撮像装置。
【請求項４】
被写体を撮像して光電変換を行うことにより電子的な画像データを生成する撮像部と、前記画像データに対応する画像を表示する表示部と、前記画像データに対して、複数の画像処理を組み合わせることにより視覚的な効果を生じさせる特殊効果処理を行って処理画像データを生成する画像処理部と、を備えた撮像装置が実行する撮像方法であって、
前記画像処理部で行う前記特殊効果処理を複数設定する画像処理設定ステップと、
当該撮像装置の撮影後に、前記画像処理部が生成した複数の前記処理画像データにそれぞれ対応する処理画像を前記表示部に表示させる表示制御ステップと、
前記表示部が表示する複数の前記処理画像の中からいずれかを選択する指示信号の入力を受け付ける入力ステップと、
前記画像処理設定ステップにおいて設定した複数の前記特殊効果処理の中から前記指示信号に応じて選択された前記処理画像に対して施された前記特殊効果処理の設定を解除する解除処理を行う画像処理制御ステップと、
を含むことを特徴とする撮像方法。
【請求項５】
被写体を撮像して光電変換を行うことにより電子的な画像データを生成する撮像部と、前記画像データに対応する画像を表示する表示部と、前記画像データに対して、複数の画像処理を組み合わせることにより視覚的な効果を生じさせる特殊効果処理を行って処理画像データを生成する画像処理部と、を備えた撮像装置に実行させる撮像プログラムであって、
前記画像処理部で行う前記特殊効果処理を複数設定する画像処理設定ステップと、
当該撮像装置の撮影後に、前記画像処理部が生成した複数の前記処理画像データにそれぞれ対応する処理画像を前記表示部に表示させる表示制御ステップと、
前記表示部が表示する複数の前記処理画像の中からいずれかを選択する指示信号の入力を受け付ける入力ステップと、
前記画像処理設定ステップにおいて設定した複数の前記特殊効果処理の中から前記指示信号に応じて選択された前記処理画像に対して施された前記特殊効果処理の設定を解除する解除処理を行う画像処理制御ステップと、
を実行させることを特徴とする撮像プログラム。
【発明の詳細な説明】
【技術分野】
【０００１】
本発明は、被写体を撮像して光電変換を行うことにより電子的な画像データを生成する撮像装置、撮像方法および撮像プログラムに関する。
【背景技術】
【０００２】
近年、デジタルカメラやデジタルビデオカメラ等の撮像装置では、どのような撮影シーンでも自然な画像を撮影することができる撮影モードや、より鮮やかな画像を撮影することができる撮影モード等の様々な撮影モードを搭載している。これらの撮影モードでは、様々な撮影シーンで自然な画質で撮影されるように、コントラスト、シャープネスおよび彩度等の各種撮影条件が設定されている。
【０００３】
一方、シェーディングまたはノイズを意図的に付加したり、従来の仕上がりの範囲を超えたような彩度またはコントラストに調整することで、従来の画像を超えた印象的な画像を作成することができる特殊効果処理が可能な特殊効撮影モードを搭載した撮像装置が知られている。たとえば、画像データを輝度成分のデータと色成分のデータとを分離し、この輝度成分のデータに対して光学系の光学特性よりも強調したシェーディングを付加することにより、撮影した画像内にシェーディング効果を生じさせることができる技術が知られている（特許文献１参照）。
【０００４】
また、同時化した画像データに対して、所定の粒状パターンを重畳するとともに、コントラストを補正することにより、撮影した画像内に粒状感を生じさせることができる技術が知られている（特許文献２参照）。
【０００５】
また、撮影時に各種の撮影条件、たとえばホワイトバランス、ＩＳＯ感度および露出値等のパラメータを変更しながら複数の画像データを１回の撮影動作で記録することができるブラケット撮影モードを搭載した撮像装置が知られている（特許文献３参照）。
【先行技術文献】
【特許文献】
【０００６】
【特許文献１】特開２０１０−７４２４４号公報
【特許文献２】特開２０１０−６２８３６号公報
【特許文献３】特開２００２−１４２１４８号公報
【発明の概要】
【発明が解決しようとする課題】
【０００７】
ところで、従来の撮像装置では、複数の特殊効果処理を組み合わせ、１回の撮影動作によって互いに異なる特殊効果処理をそれぞれ施した複数の画像を得るピクチャーブラケット撮影モードを設定することも可能である。しかしながら、画像に特殊効果処理を施すと、ユーザの予想を遥かに超えた画像が生成されて記録される場合がある。このため、特殊効果処理が施された画像を確認しながらピクチャーブラケット撮影モードの設定を変更することができる技術が求められていた。
【０００８】
本発明は、上記に鑑みてなされたものであって、互いに異なる特殊効果処理が施された画像を確認しながらピクチャーブラケット撮影モードの設定を変更することができる撮像装置、撮像方法および撮像プログラムを提供することを目的とする。
【課題を解決するための手段】
【０００９】
上述した課題を解決し、目的を達成するために、本発明にかかる撮像装置は、被写体を撮像して光電変換を行うことにより電子的な画像データを生成する撮像部と、前記画像データに対応する画像を表示する表示部と、を備えた撮像装置であって、前記画像データに対して、複数の画像処理を組み合わせることにより視覚的な効果を生じさせる特殊効果処理を行って処理画像データを生成する画像処理部と、前記画像処理部が行う前記特殊効果処理を複数設定する画像処理設定部と、当該撮像装置の撮影後に、前記画像処理部が生成した複数の前記処理画像データにそれぞれ対応する処理画像を前記表示部に表示させる表示制御部と、前記表示部が表示する複数の前記処理画像の中からいずれかを選択する指示信号の入力を受け付ける入力部と、前記入力部によって入力された前記指示信号に応じて選択された前記処理画像に対して、所定の処理を行う画像処理制御部と、を備えたことを特徴とする。
【００１０】
また、本発明にかかる撮像装置は、上記発明において、前記画像データおよび前記処理画像データを記録する記録部をさらに備え、前記所定の処理は、選択された前記処理画像に対応する処理画像データを前記記録部に記録する記録処理であることを特徴とする。
【００１１】
また、本発明にかかる撮像装置は、上記発明において、前記画像データおよび前記処理画像データを記録する記録部をさらに備え、前記所定の処理は、選択された前記処理画像に対応する処理画像データのデータ量を前記画像データのデータ量より縮小して前記記録部に記録する記録処理であることを特徴とする。
【００１２】
また、本発明にかかる撮像装置は、上記発明において、前記所定の処理は、前記画像処理設定部が前記画像処理部に設定した前記特殊効果処理の中から選択された前記処理画像に施された前記特殊効果処理を解除する解除処理であることを特徴とする。
【００１３】
また、本発明にかかる撮像装置は、上記発明において、前記所定の処理は、選択された前記処理画像を他の画像に合成する合成処理であることを特徴とする。
【００１４】
また、本発明にかかる撮像装置は、上記発明において、前記入力部は、前記表示部の表示画面上に設けられ、外部からの接触を検出し、この検出した位置に応じた位置信号の入力を受け付けるタッチパネルであることを特徴とする。
【００１５】
また、本発明にかかる撮像装置は、上記発明において、前記特殊効果処理で組み合わされる画像処理は、ぼかし処理、シェーディング追加処理、ノイズ重畳処理および画像合成処理のいずれか１つ以上であることを特徴とする。
【００１６】
また、本発明にかかる撮像方法は、被写体を撮像して光電変換を行うことにより電子的な画像データを生成する撮像部と、前記画像データに対応する画像を表示する表示部と、を備えた撮像装置が実行する撮像方法であって、前記画像データに対して、複数の画像処理を組み合わせることにより視覚的な効果を生じさせる特殊効果処理を行って処理画像データを生成する画像処理ステップと、前記画像処理ステップで行う前記特殊効果処理を複数設定する画像処理設定ステップと、当該撮像装置の撮影後に、前記画像処理ステップで生成した複数の前記処理画像データにそれぞれ対応する処理画像を前記表示部に表示させる表示制御ステップと、前記表示部が表示する複数の前記処理画像の中からいずれかを選択する指示信号の入力を受け付ける入力ステップと、前記入力ステップによって入力された前記指示信号に応じて選択された前記処理画像に対して、所定の処理を行う画像処理制御ステップと、を含むことを特徴とする。
【００１７】
また、本発明にかかる撮像プログラムは、被写体を撮像して光電変換を行うことにより電子的な画像データを生成する撮像部と、前記画像データに対応する画像を表示する表示部と、を備えた撮像装置に実行させる撮像プログラムであって、前記画像データに対して、複数の画像処理を組み合わせることにより視覚的な効果を生じさせる特殊効果処理を行って処理画像データを生成する画像処理ステップと、前記画像処理ステップで行う前記特殊効果処理を複数設定する画像処理設定ステップと、当該撮像装置の撮影後に、前記画像処理ステップで生成した複数の前記処理画像データにそれぞれ対応する処理画像を前記表示部に表示させる表示制御ステップと、前記表示部が表示する複数の前記処理画像の中からいずれかを選択する指示信号の入力を受け付ける入力ステップと、前記入力ステップによって入力された前記指示信号に応じて選択された前記処理画像に対して、所定の処理を行う画像処理制御ステップと、を実行させることを特徴とする。
【発明の効果】
【００１８】
本発明によれば、撮像装置の撮影後に、画像処理部が生成した複数の処理画像データにそれぞれ対応する処理画像を表示部に表示させる表示制御部と、表示部が表示する複数の処理画像の中からいずれかを選択する指示信号の入力を受け付ける入力部と、入力部によって入力された指示信号に応じて選択された処理画像に対して、所定の処理を行う画像処理制御部とを備えるので、互いに異なる特殊効果処理が施された画像を確認しながらピクチャーブラケット撮影モードの設定を変更することができるという効果を奏する。
【図面の簡単な説明】
【００１９】
【図１】図１は、本発明の実施の形態１にかかる撮像装置のユーザに面する側の構成を示す斜視図である。
【図２】図２は、本発明の実施の形態１にかかる撮像装置の構成を示すブロック図である。
【図３】図３は、本発明の実施の形態１にかかる撮像装置の画像処理情報記録部が記録する画像処理情報としての画像処理情報テーブルの一例を示す図である。
【図４】図４は、本発明の実施の形態１にかかる撮像装置のメニュースイッチが操作された場合において、表示部が表示するメニュー画面における画面遷移の一例を示す図である。
【図５】図５は、本発明の実施の形態１にかかる撮像装置のメニュースイッチが操作された場合において、表示部が表示するメニュー画面における画面遷移の別の一例を示す図である。
【図６】図６は、本発明の実施の形態１にかかる撮像装置が行う処理の概要を示すフローチャートである。
【図７】図７は、図６の画像処理・レックビュー表示・静止画記録処理の概要を示すフローチャートである。
【図８】図８は、図７のスライドレックビュー選択処理の概要を示すフローチャートである。
【図９】図９は、本発明の実施の形態１にかかる撮像装置が行うスライドレックビュー選択処理において表示制御部が表示部に表示させるレックビュー画像の一例を示す図である。
【図１０】図１０は、本発明の実施の形態１の変形例１にかかる表示部が表示する画像のレックビュー表示の表示方法を説明する図である。
【図１１】図１１は、本発明の実施の形態１の変形例２にかかる撮像装置が実行するスライドレックビュー選択処理の概要を示すフローチャートである。
【図１２】図１２は、本発明の実施の形態２にかかる撮像装置が実行する設定処理の概要を示すフローチャートである。
【図１３】図１３は、本発明の実施の形態３にかかる撮像装置が実行する画像処理・レックビュー表示・静止画記録処理の概要を示すフローチャートである。
【図１４】図１４は、本発明の実施の形態４にかかる撮像装置が実行する画像処理・レックビュー表示・静止画記録処理の概要を示すフローチャートである。
【図１５】図１５は、本発明の実施の形態５にかかる撮像装置が実行する画像処理・レックビュー表示・静止画記録処理の概要を示すフローチャートである。
【図１６】図１６は、本発明の実施の形態５にかかる撮像装置の画像処理部がタッチパネルから入力される位置信号に応じて各画像を合成して生成する合成画像の一例を示す図である。
【図１７】図１７は、本発明の実施の形態５にかかる撮像装置の画像処理部が生成する合成画像の一例を示す図である。
【発明を実施するための形態】
【００２０】
以下に、図面を参照して、本発明を実施するための形態（以下、「実施の形態」という）について説明する。なお、以下に説明する実施の形態によって本発明が限定されるものではない。さらに、図面の記載において、同一の部分には同一の符号を付して説明する。
【００２１】
（実施の形態１）
図１は、本発明の実施の形態１にかかる撮像装置のユーザに面する側（背面側）の構成を示す斜視図である。図２は、本発明の実施の形態１にかかる撮像装置の構成を示すブロック図である。図１および図２に示す撮像装置１は、本体部２と、本体部２に着脱自在なレンズ部３と、を備える。
【００２２】
本体部２は、シャッタ１０と、シャッタ駆動部１１と、撮像素子１２と、撮像素子駆動部１３と、信号処理部１４と、Ａ／Ｄ変換部１５と、画像処理部１６と、ＡＥ処理部１７と、ＡＦ処理部１８と、画像圧縮展開部１９と、入力部２０と、表示部２１と、表示駆動部２２と、記録媒体２３と、メモリＩ／Ｆ２４と、ＳＤＲＡＭ（Synchronous  Dynamic  Random  Access  Memory）２５と、Ｆｌａｓｈメモリ２６と、本体通信部２７と、バス２８と、制御部２９と、を備える。
【００２３】
シャッタ１０は、撮像素子１２の状態を露光状態または遮光状態に設定する。シャッタ駆動部１１は、ステッピングモータ等を用いて構成され、制御部２９から入力される指示信号に応じてシャッタ１０を駆動する。
【００２４】
撮像素子１２は、レンズ部３が集光した光を受光して電気信号に変換するＣＣＤ（Charge  Coupled  Device）またはＣＭＯＳ（Complementary  Metal  Oxide  Semiconductor）等を用いて構成される。撮像素子駆動部１３は、所定のタイミングで撮像素子１２から画像データ（アナログ信号）を信号処理部１４に出力する。この意味で、撮像素子駆動部１３は、電子シャッタとして機能する。
【００２５】
信号処理部１４は、撮像素子１２から入力されるアナログ信号に対して、アナログ処理を施してＡ／Ｄ変換部１５に出力する。具体的には、信号処理部１４は、アナログ信号に対して、ノイズ低減処理およびゲインアップ処理等を行う。たとえば、信号処理部１４は、アナログ信号に対して、リセットノイズ等を低減した上で波形整形を行い、さらに目的の明るさとなるようにゲインアップを行う。
【００２６】
Ａ／Ｄ変換部１５は、信号処理部１４から入力されるアナログ信号に対してＡ／Ｄ変換を行うことによってデジタルの画像データを生成し、バス２８を介してＳＤＲＡＭ２５に出力する。
【００２７】
画像処理部１６は、バス２８を介してＳＤＲＡＭ２５から画像データを取得し、取得した画像データ（ＲＡＷデータ）に対して各種の画像処理を行って処理画像データを生成する。この処理画像データは、バス２８を介してＳＤＲＡＭ２５に出力される。画像処理部１６は、基本画像処理部１６１と、特殊効果画像処理部１６２と、を有する。
【００２８】
基本画像処理部１６１は、画像データに対して、少なくとも、オプティカルブラック減算処理、ホワイトバランス調整処理、撮像素子がベイヤー配列の場合には画像データの同時化処理、カラーマトリクス演算処理、γ補正処理、色再現処理およびエッジ強調処理等を含む基本の画像処理を行う。また、基本画像処理部１６１は、予め設定された各画像処理のパラメータに基づいて、自然な画像を再現する仕上がり効果処理を行って仕上がり効果画像データを生成する。ここで、各画像処理のパラメータとは、コントラスト、シャープネス、彩度、ホワイトバランスおよび階調の値である。
【００２９】
特殊効果画像処理部１６２は、画像データに対して複数の画像処理を組み合わせることにより視覚的な効果を生じさせる特殊効果処理を行って処理画像データ（以下、「処理画像」という）を生成する。この特殊効果処理の組み合わせとしては、たとえば、トーンカーブ処理、ぼかし処理、シェーディング追加処理、画像合成処理、ノイズ重畳処理、彩度調整処理および画像合成処理のいずれか一つを含む組み合わせである。
【００３０】
ＡＥ処理部１７は、バス２８を介してＳＤＲＡＭ２５に記録された画像データを取得し、取得した画像データに基づいて、静止画撮影または動画撮影を行う際の露出条件を設定する。具体的には、ＡＥ処理部１７は、画像データから輝度を算出し、算出した輝度に基づいて、たとえば絞り値（Ｆ値）の設定値、シャッタ速度等を決定することで撮像装置１の自動露出を行う。
【００３１】
ＡＦ処理部１８は、バス２８を介してＳＤＲＡＭ２５に記録された画像データを取得し、取得した画像データに基づいて、撮像装置１の自動焦点の調整を行う。たとえば、ＡＦ処理部１８は、画像データから高周波成分の信号を取り出し、高周波成分の信号に対してＡＦ（Auto  Focus）演算処理を行うことによって、撮像装置１の合焦評価を決定することで撮像装置１の自動焦点の調整を行う。
【００３２】
画像圧縮展開部１９は、バス２８を介してＳＤＲＡＭ２５から画像データを取得し、取得した画像データに対して所定の形式に従って圧縮し、この圧縮した画像データをＳＤＲＡＭ２５に出力する。ここで、所定の形式としては、ＪＰＥＧ（Joint  Photographic  Experts  Group）方式、ＭｏｔｉｏｎＪＰＥＧ方式およびＭＰ４（Ｈ．２６４）方式等である。また、画像圧縮展開部１９は、バス２８およびメモリＩ／Ｆ２４を介して記録媒体２３に記録された画像データ（圧縮画像データ）を取得し、取得した画像データを展開（伸長）してＳＤＲＡＭ２５に出力する。
【００３３】
入力部２０は、撮像装置１の電源状態をオン状態またはオフ状態に切換える電源スイッチ２０１と、静止画撮影の指示を与える静止画レリーズ信号の入力を受け付けるレリーズスイッチ２０２と、撮像装置１に設定された各種撮影モードを切換える撮影モード切換スイッチ２０３と、撮像装置１の各種設定を切換える操作スイッチ２０４と、撮像装置１の各種設定を表示部２１に表示させるメニュースイッチ２０５と、記録媒体２３に記録された画像データに対応する画像を表示部２１に表示させる再生スイッチ２０６と、動画撮影の指示を与える動画レリーズ信号の入力を受け付ける動画スイッチ２０７と、表示部２１の表示画面上に重畳して設けられたタッチパネル２０８と、を有する。
【００３４】
レリーズスイッチ２０２は、外部からの押圧により進退可能であり、半押しされた場合に撮影準備動作を指示するファーストレリーズ信号の入力を受け付ける一方、全押しされた場合に静止画撮影を指示するセカンドレリーズ信号の入力を受け付ける。
【００３５】
操作スイッチ２０４は、メニュー画面等における選択設定を行う上下左右の各方向スイッチ２０４ａ〜２０４ｄと、メニュー画面等における各方向スイッチ２０４ａ〜２０４ｄによる操作を決定する決定スイッチ２０４ｅ（ＯＫスイッチ）とを有する（図１を参照）。なお、操作スイッチ２０４は、ダイヤルスイッチ等を用いて構成してもよい。
【００３６】
タッチパネル２０８は、外部からの物体のタッチを検出し、この検出したタッチ位置に応じた位置信号（座標位置を示す信号）を制御部２９に出力する。また、タッチパネル２０８は、ユーザが表示部２１で表示される情報、たとえばアイコン画像やサムネイル画像に基づいてタッチした位置（座標位置）を検出し、この検出したタッチ位置に応じて撮像装置１が行う動作を指示する指示信号や画像の選択を指示する指示信号の入力を受け付けてもよい。一般に、タッチパネル２０８としては、抵抗膜方式、静電容量方式および光学方式等がある。本実施の形態１では、いずれの方式のタッチパネルであっても適用可能である。
【００３７】
表示部２１は、液晶または有機ＥＬ（Electro  Luminescence）等からなる表示パネルを用いて構成される。表示駆動部２２は、バス２８を介してＳＤＲＡＭ２５に記録された画像データまたは記録媒体２３に記録された画像データを取得し、取得した画像データに対応する画像を表示部２１に表示させる。ここで、画像の表示には、撮影直後の画像データまたは処理画像を所定時間（たとえば３秒間）だけ表示するレックビュー表示、記録媒体２３に記録された画像データを再生する再生表示、および撮像素子１２が連続的に生成する画像データに対応するライブビュー画像を時系列に沿って順次表示するライブビュー表示等が含まれる。また、表示部２１は、撮像装置１の操作情報および撮影に関する情報を適宜表示する。
【００３８】
記録媒体２３は、撮像装置１の外部から装着されるメモリカード等を用いて構成される。記録媒体２３は、メモリＩ／Ｆ２４を介して撮像装置１に着脱自在に装着される。記録媒体２３には、その種類に応じた図示しない読み書き装置によって画像処理部１６や画像圧縮展開部１９が処理を施した画像データが書き込まれ、または読み書き装置によって記録媒体２３に記録された画像データが読み出される。また、記録媒体２３は、制御部２９の制御のもと、メモリＩ／Ｆ２４およびバス２８を介して撮像プログラムおよび各種情報それぞれをＦｌａｓｈメモリ２６に出力してもよい。
【００３９】
ＳＤＲＡＭ２５は、揮発性メモリを用いて構成される。ＳＤＲＡＭ２５は、バス２８を介してＡ／Ｄ変換部１５から入力される画像データ、画像処理部１６から入力される処理画像データおよび撮像装置１の処理中の情報を一時的に記録する。たとえば、ＳＤＲＡＭ２５は、信号処理部１４、Ａ／Ｄ変換部１５およびバス２８を介して、撮像素子１２が１フレーム毎に順次出力する画像データを一時的に記録する。
【００４０】
Ｆｌａｓｈメモリ２６は、不揮発性メモリを用いて構成される。Ｆｌａｓｈメモリ２６は、プログラム記録部２６１と、特殊効果処理情報記録部２６２と、画像処理情報記録部２６３と、を有する。プログラム記録部２６１は、撮像装置１を動作させるための各種プログラム、撮像プログラムおよびプログラムの実行中に使用される各種データおよび画像処理部１６による画像処理の動作に必要な各種パラメータ等を記録する。特殊効果処理情報記録部２６２は、特殊効果画像処理部１６２が行う各特殊効果処理における画像処理の組み合わせ情報を記録する。画像処理情報記録部２６３は、画像処理部１６が実行可能な画像処理に処理時間を対応付けた画像処理情報を記録する。また、Ｆｌａｓｈメモリ２６は、撮像装置１を特定するための製造番号等を記録する。
【００４１】
ここで、画像処理情報記録部２６３が記録する画像処理情報について説明する。図３は、画像処理情報記録部２６３が記録する画像処理情報としての画像処理情報テーブルの一例を示す図である。
【００４２】
図３に示すように、画像処理情報テーブルＴ１には、画像処理部１６が画像データに対して実行することが可能な仕上がり効果処理および特殊効果処理それぞれに、各画像処理にかかる処理時間が対応付けられて記載されている。たとえば、画像処理部１６に設定された仕上がり効果処理が「Ｎａｔｕｒａｌ」の場合、処理時間として「通常」が記載されている。ここで、通常とは、撮像素子１２が所定のフレームレート（たとえば６０ｆｐｓ）で連続的に生成する画像データに対して、基本画像処理部１６１が遅延なく画像処理を施すことができる処理時間である。これに対して、画像処理部１６に設定された特殊効果処理が「ファンタジックフォーカス」の場合、処理時間として「通常の２倍」が記載されている。
【００４３】
このように、画像処理情報テーブルＴ１には、画像処理部１６が行う各仕上がり効果処理および特殊効果処理それぞれに処理時間が対応付けられて記載されている。
【００４４】
ここで、上述した仕上がり効果処理および特殊効果処理それぞれについて説明する。本実施の形態１では、基本画像処理部１６１は、４つの仕上がり効果処理を行う機能を有する。仕上がり効果処理の処理項目としては、Ｎａｔｕｒａｌ、Ｖｉｖｉｄ、ＦｌａｔおよびＭｏｎｏｔｏｎｅである。特殊効果画像処理部１６２は、５つの特殊効果処理を行う機能を有する。特殊効果処理の処理項目としては、ポップアート、ファンタジックフォーカス、トイフォト、ジオラマ、ラフモノクロームを行う機能を有する。
【００４５】
まず、仕上がり効果処理の処理内容を説明する。
処理項目Ｎａｔｕｒａｌに対応する仕上がり効果処理は、撮影する画像を自然な色合いに仕上げる処理である。
処理項目Ｖｉｖｉｄに対応する仕上がり効果処理は、撮影する画像を色鮮やかに仕上げる処理である。
処理項目Ｆｌａｔに対応する仕上がり効果処理は、撮影する被写体の素材成を重視して仕上げる処理である。
処理項目Ｍｏｎｏｔｏｎｅに対応する仕上がり効果処理は、撮影する画像をモノクロ調に仕上げる処理である。
【００４６】
つぎに、特殊効果処理の処理内容を説明する。
処理項目ポップアートに対応する仕上がり効果処理は、色をカラフルに強調し、明るく楽しい雰囲気に表現する処理である。ポップアートの画像処理の組み合わせとしては、たとえば彩度強調処理およびコントラスト強調処理等である。
処理項目ファンタジックフォーカスに対応する仕上がり効果処理は、柔らかいトーンの中で空気感を表現しつつ、被写体のディティールを残しながら幸福な光に包まれたように美しく幻想的に表現する処理である。ファンタジックフォーカスの画像処理の組み合わせとしては、たとえばトーンカーブ処理、ぼかし処理および画像合成処理等である。
処理項目トイフォトに対応する仕上がり効果処理は、画像の周辺に対してシェーディング効果を施すことにより、昔らしさや思い出感を表現する処理である。トイフォトの画像処理の組み合わせとしては、たとえばローパスフィルタ処理、ホワイトバランス処理、コントラスト処理、シェーディング処理および色相・彩度処理等である。
処理項目ジオラマに対応する仕上がり効果処理は、画面の周辺に対して極端なぼけ効果を施すことにより、おもちゃらしさや作り物らしさを表現する処理である。ジオラマの画像処理の組み合わせとしては、たとえば色相・彩度処理、コントラスト処理、ぼかし処理および合成処理等である（トイフォト、シェーディングの詳細な内容については、たとえば特開２０１０−７４２４４号公報を参照）。
処理項目ラフモノクロームに対応する仕上がり効果処理は、極端なコントラストとフィルムの粒状のノイズを付加して荒々しさを表現する処理である。ラフモノクロームの画像処理の組み合わせとしては、たとえばエッジ強調処理、レベル補正最適化処理、ノイズパターン重畳処理およびコントラスト処理等である（ラフモノクロームの詳細な内容については、たとえば特開２０１０−６２８３６号公報を参照）。
【００４７】
図２に戻り、説明を続ける。本体通信部２７は、本体部２に装着されたレンズ部３との通信を行うための通信インターフェースである。
【００４８】
バス２８は、撮像装置１の各構成部位を接続する伝送路等を用いて構成される。バス２８は、撮像装置１の内部で発生した各種データを撮像装置１の各構成部位に転送する。
【００４９】
制御部２９は、ＣＰＵ（Central  Processing  Unit）等を用いて構成される。制御部２９は、バス２８を介して、入力部２０からの指示信号またはレリーズ信号に応じて撮像装置１を構成する各部に対応する指示やデータの転送等を行って撮像装置１の動作を統括的に制御する。制御部２９は、セカンドレリーズ信号が入力された場合、撮像装置１における撮影動作を開始する制御を行う。ここで、撮像装置１における撮影動作とは、シャッタ駆動部１１および撮像素子駆動部１３の駆動によって撮像素子１２が出力した画像データに対し、信号処理部１４、Ａ／Ｄ変換部１５および画像処理部１６が所定の処理を施す動作をいう。このように処理が施された画像データは、画像処理制御部２９２の制御のもと、画像圧縮展開部１９で圧縮され、バス２８およびメモリＩ／Ｆ２４を介して記録媒体２３に記録される。
【００５０】
制御部２９の詳細な構成について説明する。制御部２９は、画像処理設定部２９１と、画像処理制御部２９２と、表示制御部２９３と、を有する。
【００５１】
画像処理設定部２９１は、バス２８を介して入力される入力部２０からの指示信号に応じて、画像処理部１６に実行させるべき画像処理の内容を設定する。具体的には、画像処理設定部２９１は、入力部２０からの指示信号に応じて、処理内容が互いに異なる複数の特殊効果処理および仕上がり効果処理を画像処理部１６に設定する。
【００５２】
画像処理制御部２９２は、表示部２１が複数の処理画像を表示している際に入力部２０によって入力された指示信号に応じて選択された処理画像に対して所定の処理を行う。具体的には、画像処理制御部２９２は、入力部２０によって入力された指示信号に応じて選択された処理画像に対して記録媒体２３に静止画として記録する記録処理を行う。さらに、画像処理制御部２９２は、表示部２１が処理画像を表示している場合において、所定時間内に入力部２０を介して処理画像を選択する指示信号が入力されない場合、画像処理設定部２９１が画像処理部１６に設定した内容から現在の処理画像の処理項目を解除する。
【００５３】
表示制御部２９３は、表示部２１の表示態様を制御する。具体的には、表示制御部２９３は、表示駆動部２２を駆動し、画像処理制御部２９２が画像処理部１６に生成させた処理画像データに対応するライブビュー画像を表示部２１に表示させる。また、表示制御部２９３は、画像処理制御部２９２が画像処理部１６に生成させる複数の特殊効果画像データの少なくとも一部に対応する一もしくは複数の特殊効果画像またはライブビュー画像を表示部２１に表示させる。たとえば、表示制御部２９３は、特殊効果画像処理部１６２が一つの画像データに対して、互いに処理内容が異なる複数の特殊効果処理をそれぞれ行って生成した複数の特殊効果画像データに対応する複数の特殊効果画像を、表示部２１が時系列に沿って連続的に表示するライブビュー画像に重畳して表示部２１に表示させる。さらに、表示制御部２９３は、撮像装置１の撮影した直後に、画像処理部１６が生成した複数の処理画像を表示部２１に順次表示させる。
【００５４】
以上の構成を有する本体部２に対して、音声入出力機能、フラッシュ機能、着脱自在な電子ビューファインダ（ＥＶＦ）、およびインターネットを介してパーソナルコンピュータ等の外部処理装置（図示せず）と双方向に通信可能な通信部等を具備させてもよい。
【００５５】
レンズ部３は、光学系３１と、レンズ駆動部３２と、絞り３３と、絞り駆動部３４と、レンズ操作部３５と、レンズＦｌａｓｈメモリ３６と、レンズ通信部３７と、レンズ制御部３８と、を備える。
【００５６】
光学系３１は、一または複数のレンズを用いて構成される。光学系３１は、所定の視野領域から光を集光する。光学系３１は、画角を変化させる光学ズーム機能および焦点を変化させるフォーカス機能を有する。レンズ駆動部３２は、ＤＣモータまたはステッピングモータ等を用いて構成され、光学系３１のレンズを光軸Ｌ上で移動させることにより、光学系３１のピント位置や画角等の変更を行う。
【００５７】
絞り３３は、光学系３１が集光した光の入射量を制限することにより露出の調整を行う。絞り駆動部３４は、ステッピングモータ等を用いて構成され、絞り３３を駆動する。
【００５８】
レンズ操作部３５は、図１に示すように、レンズ部３のレンズ鏡筒の周囲に設けられるリングであり、レンズ部３における光学ズームの操作を開始する操作信号の入力、またはレンズ部３におけるピント位置の調整を指示する指示信号の入力を受け付ける。なお、レンズ操作部３５は、プッシュ式のスイッチ等であってもよい。
【００５９】
レンズＦｌａｓｈメモリ３６は、光学系３１の位置および動きそれぞれを決定するための制御用プログラム、光学系３１のレンズ特性および各種パラメータを記録する。
【００６０】
レンズ通信部３７は、レンズ部３が本体部２に装着されたときに、本体部２の本体通信部２７と通信を行うための通信インターフェースである。
【００６１】
レンズ制御部３８は、ＣＰＵ等を用いて構成される。レンズ制御部３８は、レンズ操作部３５の操作信号または本体部２からの指示信号に応じてレンズ部３の動作を制御する。具体的には、レンズ制御部３８は、レンズ操作部３５の操作信号に応じて、レンズ駆動部３２を駆動させてレンズ部３のピント合わせやズーム変更を行うとともに、絞り駆動部３４を駆動させて絞り値の変更を行う。なお、レンズ制御部３８は、レンズ部３が本体部２に装着された際に、レンズ部３のピント位置情報、焦点距離およびレンズ部３を識別する固有情報等を本体部２に送信するようにしてもよい。
【００６２】
以上の構成を有する撮像装置１は、ピクチャー撮影モードおよびピクチャーブラケット撮影モードを有する。ここで、ピクチャー撮影モードとは、仕上がり効果処理および特殊効果処理の中から１つを選択し、選択した処理項目に対応する処理を画像処理部１６に実行させてライブビュー画像または静止画像を生成させるモードである。また、ピクチャーブラケット撮影モードとは、仕上がり効果処理および特殊効果処理の中から所望の組み合わせを選択して画像処理部１６に実行させることで互いに処理が異なる画像を１回の撮影動作によって複数生成させて記録媒体２３に記録させるモードである。以下、撮像装置１で実行されるピクチャー撮影モード（以下「ピクチャーモード」という）およびピクチャーブラケット撮影モード（以下「ピクチャーブラケットモード」という）それぞれの設定方法について説明する。
【００６３】
まず、ユーザが電源スイッチ２０１を操作することにより、撮像装置１の起動に伴って、表示部２１がライブビュー画像を表示している場合において、ユーザがメニュースイッチ２０５を操作したとき、表示制御部２９３は、メニュー操作画面を表示部２１に表示させる。
【００６４】
図４は、メニュースイッチ２０５が操作された場合において、表示部２１が表示するメニュー画面における画面遷移の一例を示す図であり、ピクチャーモードが設定されるときの画面遷移である。
【００６５】
図４に示すように、表示制御部２９３は、メニュースイッチ２０５が操作された場合、撮像装置１の設定内容を示すメニュー画面Ｗ１（図４（ａ））を表示部２１に表示させる。メニュー画面Ｗ１には、記録形式アイコンＡ１、ピクチャーモードアイコンＡ２およびピクチャーブラケットモードアイコンＡ３等がそれぞれ表示される。なお、メニュー画面Ｗ１が表示された時点では、記録形式アイコンＡ１がデフォルトで選択されており、ハイライト表示（色の変更）されている（図４（ａ））。なお、図４では、ハイライト表示を斜線で表現している。
【００６６】
記録形式アイコンＡ１は、静止画および動画それぞれの記録形式を設定する記録形式メニュー画面を表示部２１に表示させる指示信号の入力を受け付けるアイコンである。ピクチャーモードアイコンＡ２は、ピクチャーモード選択画面を表示部２１に表示させる指示信号の入力を受け付けるアイコンである。ピクチャーブラケットモードアイコンＡ３は、ピクチャーブラケットモード設定画面を表示部２１に表示させる指示信号の入力を受け付けるアイコンである。
【００６７】
表示部２１がメニュー画面Ｗ１を表示している状態で、ユーザが操作スイッチ２０４の上スイッチ２０４ａまたは下ボタン２０４ｂ等を操作することにより、ピクチャーモードアイコンＡ２が選択された場合、表示制御部２９３がピクチャーモードアイコンＡ２を表示部２１にハイライト表示させる（図４（ｂ））。なお、表示制御部２９３は、ユーザが選択したアイコンＡ１〜Ａ３に対して、フォントや大きさを変更して表示部２１に表示させてもよい。
【００６８】
表示部２１がメニュー画面Ｗ１（図４（ｂ））を表示している状態で、ユーザによって操作スイッチ２０４の決定ボタン２０４ｅが操作されることによりピクチャーモードアイコンＡ２が選択された場合、表示制御部２９３は、ピクチャーモード設定画面Ｗ２を表示部２１に表示させる（図４（ｃ））。ピクチャーモード設定画面Ｗ２には、仕上がりアイコンＡ２１と、特殊効果アイコンＡ２２とが表示される。なお、表示部２１がピクチャーモード設定画面Ｗ２を表示している状態において、ユーザが操作スイッチ２０４の左スイッチ２０４ｃを操作したとき、表示制御部２９３は、表示部２１にメニュー画面Ｗ１（図４（ｂ））を表示させる。
【００６９】
仕上がりアイコンＡ２１は、仕上がりモード選択画面を表示部２１に表示させる指示信号の入力を受け付けるアイコンである。特殊効果アイコンＡ２２は、特殊効果（アートフィルタ（登録商標））撮影モード選択画面を表示部２１に表示させる指示信号の入力を受け付けるアイコンである。
【００７０】
表示部２１がピクチャーモード設定画面Ｗ２を表示している状態で、ユーザによって仕上がりアイコンＡ２１が確定された場合、表示制御部２９３は、仕上がりモード選択画面Ｗ３を表示部２１に表示させる（図４（ｄ））。仕上がりモード選択画面Ｗ３には、選択可能な仕上がり効果処理の処理項目に対応するアイコンとしてＮａｔｕｒａｌアイコンＡ３１、ＶｉｖｉｄアイコンＡ３２、ＦｌａｔアイコンＡ３３およびＭｏｎｏｔｏｎｅアイコンＡ３４が表示される。各アイコンＡ３１〜Ａ３４は、基本画像処理部１６１が行う仕上がり効果処理に対応する処理の設定を指示する指示信号の入力を受け付けるアイコンである。なお、図４（ｄ）は、ＶｉｖｉｄアイコンＡ３２が選択されてハイライト表示している状態を示している。
【００７１】
表示部２１が仕上がりモード選択画面Ｗ３を表示している状態で、ユーザによって操作スイッチ２０４の決定ボタン２０４ｅが操作された場合、画像処理設定部２９１は、表示部２１が仕上がりモード選択画面Ｗ３でハイライト表示しているアイコンに対応する仕上がり効果処理（図４（ｄ）の場合ではＶｉｖｉｄ）をピクチャーモードで行う処理として設定する。
【００７２】
また、表示部２１がピクチャーモード設定画面Ｗ２を表示している状態で、ユーザが操作スイッチ２０４を操作して特殊効果アイコンＡ２２を選択したことを確定した場合、表示制御部２９３は、特殊効果画像処理部１６２が行う特殊効果処理の内容を設定する特殊効果設定画面Ｗ４を表示部２１に表示させる（図４（ｅ））。特殊効果設定画面Ｗ４には、選択可能な特殊効果処理の処理項目に対応するアイコンとしてポップアートアイコンＡ４１、ファンタジックフォーカスアイコンＡ４２、ジオラマアイコンＡ４３、トイフォトアイコンＡ４４およびラフモノクロームアイコンＡ４５が表示される。各アイコンＡ４１〜Ａ４５は、特殊効果画像処理部１６２が行う特殊効果処理の設定を指示する指示信号の入力を受け付けるアイコンである。なお、図４（ｅ）は、ファンタジックフォーカスアイコンＡ４２が選択されてハイライト表示している状態を示している。
【００７３】
表示部２１が特殊効果設定画面Ｗ４を表示している状態で、ユーザによって操作スイッチ２０４の決定ボタン２０４ｅが操作された場合、画像処理設定部２９１は、表示部２１が特殊効果設定画面Ｗ４でハイライト表示しているアイコンに対応する特殊効果処理（図４（ｅ）の場合は、ファンタジックフォーカス）をピクチャーモードで行う処理として設定する。なお、設定された特殊効果処理に関する情報は、ＳＤＲＡＭ２５に記録される。
【００７４】
図５は、メニュースイッチ２０５が操作された場合において、表示部２１が表示するメニュー画面における画面遷移の別の一例を示す図であり、ピクチャーブラケットモードが設定されたときの画面遷移である。
【００７５】
図５（ａ）に示すように、表示部２１がメニュー画面Ｗ１を表示している場合において、ユーザがピクチャーブラケットモードアイコンＡ３を選択したとき、ピクチャーブラケットモードアイコンＡ３がハイライト表示されている。
【００７６】
表示部２１がメニュー画面Ｗ１を表示している状態で、ユーザが操作スイッチ２０４の決定スイッチ２０４ｅを操作した場合、表示制御部２９３は、ピクチャーブラケットモード設定画面Ｗ５を表示部２１に表示させる（図５（ｂ））。ピクチャーブラケットモード設定画面Ｗ５には、ＯＮアイコンＡ５１と、ＯＦＦアイコンＡ５２とが表示される。
【００７７】
ＯＮアイコンＡ５１は、ピクチャーブラケットモードを撮像装置１に設定する指示信号の入力を受け付け、ピクチャーブラケットモードの設定フラグをオン状態にするアイコンである。ＯＦＦアイコンＡ５２は、ピクチャーブラケットモードを撮像装置１に設定しない指示信号の入力を受け付け、ピクチャーブラケットモードの設定フラグをオフ状態にするアイコンである。なお、図５（ｂ）は、ＯＮアイコンＡ５１が選択されてハイライト表示している状態を示している。
【００７８】
表示部２１がピクチャーブラケットモード設定画面Ｗ５を表示している状態で、ユーザが操作スイッチ２０４を操作することにより、ＯＮアイコンＡ５１を選択して確定した場合、表示制御部２９３は、ピクチャーブラケットモード選択画面Ｗ６を表示部２１に表示させる（図５（ｃ））。ピクチャーブラケットモード選択画面Ｗ６には、ピクチャーブラケットで画像処理部１６が実行可能な処理の処理項目それぞれに対応するアイコンＡ３１〜Ａ３４が表示される。
【００７９】
表示部２１がピクチャーブラケットモード選択画面Ｗ６を表示している状態で、ユーザは、操作スイッチ２０４の決定ボタン２０４ｅまたは下ボタン２０４ｂを操作することにより、ピクチャーブラケットモード選択画面Ｗ６から所定のアイコンを選択してピクチャーブラケットモードで行う処理項目を設定する。この際、表示制御部２９３は、操作スイッチ２０４から入力される操作信号に応じて、ユーザによって選択されたアイコンを表示部２１にアクティブ表示させる。なお、図５（ｃ）は、ＮａｔｕｒａｌアイコンＡ３１に対応する処理がピクチャーブラケットモードで行う処理として設定済みであり、ＦｌａｔアイコンＡ３３が選択されてアクティブ表示している状態を示している。なお、図５では、アクティブ表示をアイコンの枠を太くして表現している。
【００８０】
表示部２１がピクチャーブラケットモード選択画面Ｗ６を表示している状態で、アクティブ表示されているアイコンがＭｏｎｏｔｏｎｅアイコンＡ３４になった状態でユーザが操作スイッチ２０４の下スイッチ２０４ｂを操作すると、表示制御部２９３は、ピクチャーブラケットモード選択画面Ｗ６をスクロールしてピクチャーブラケットモード選択画面Ｗ７を表示部２１に表示させる（図５（ｄ））。ピクチャーブラケットモード選択画面Ｗ７には、ピクチャーブラケットモードで特殊効果画像処理部１６２に実行可能な複数の特殊効果処理の処理項目それぞれに対応するアイコンＡ４１〜Ａ４５が表示される。具体的には、ポップアートアイコンＡ４１、ファンタジックフォーカスアイコンＡ４２、ジオラマアイコンＡ４３、トイフォトアイコンＡ４４およびラフモノクロームアイコンＡ４５が表示される。
【００８１】
続いて、ユーザは操作スイッチ２０４の左ボタン２０４ｃまたはレリーズスイッチ２０２を操作することにより、ピクチャーブラケットモードの設定を終了させる。
【００８２】
以上の段階を経てピクチャーモードおよびピクチャーブラケットモードが設定された撮像装置１の処理について説明する。図６は、撮像装置１が行う処理の概要を示すフローチャートである。
【００８３】
図６に示すように、まず、ユーザによって電源スイッチ２０１が操作され、撮像装置１の電源がオンになると、制御部２９は、撮像装置１の初期化を行う（ステップＳ１０１）。具体的には、制御部２９は、動画の記録中を示す記録中フラグをオフ状態にする初期化を行う。この記録中フラグは、動画の撮影中にオン状態になり、動画を撮影していないときにオフ状態となるフラグである。
【００８４】
続いて、再生スイッチ２０６が操作されることなく（ステップＳ１０２：Ｎｏ）、メニュースイッチ２０５が操作された場合（ステップＳ１０３：Ｙｅｓ）、撮像装置１は、上述したメニュー画面Ｗ１（図４を参照）を表示し、ユーザの選択操作に応じて撮像装置１の各種条件を設定する設定処理を実行し（ステップＳ１０４）、ステップＳ１０５へ移行する。
【００８５】
これに対して、再生スイッチ２０６が操作されることなく（ステップＳ１０２：Ｎｏ）、メニュースイッチ２０５が操作されていない場合（ステップＳ１０３：Ｎｏ）、撮像装置１は、ステップＳ１０５へ移行する。
【００８６】
続いて、制御部２９は、動画スイッチ２０７が操作されたか否かを判断する（ステップＳ１０５）。動画スイッチ２０７が操作されたと制御部２９が判断した場合（ステップＳ１０５：Ｙｅｓ）、撮像装置１は、後述するステップＳ１２１へ移行する。一方、動画スイッチ２０７が操作されていないと制御部２９が判断した場合（ステップＳ１０５：Ｎｏ）、撮像装置１は、後述するステップＳ１０６へ移行する。
【００８７】
ステップＳ１０６において、撮像装置１が動画の記録中でない場合（ステップＳ１０６：Ｎｏ）において、レリーズスイッチ２０２からファーストレリーズ信号が入力されたとき（ステップＳ１０７：Ｙｅｓ）、撮像装置１は、後述するステップＳ１１５へ移行する。一方、レリーズスイッチ２０２を介してファーストレリーズ信号が入力されていないとき（ステップＳ１０７：Ｎｏ）、撮像装置１は、後述するステップＳ１０８へ移行する。
【００８８】
ステップＳ１０８において、レリーズスイッチ２０２を介してセカンドレリーズ信号が入力されていない場合（ステップＳ１０８：Ｎｏ）について説明する。この場合、制御部２９は、ＡＥ処理部１７に露出を調整するＡＥ処理を実行させる（ステップＳ１０９）。
【００８９】
続いて、制御部２９は、撮像素子駆動部１３を駆動することによって、電子シャッタによる撮影を行う（ステップＳ１１０）。
【００９０】
その後、撮像装置１は、電子シャッタによる撮影によって撮像素子１２が生成した画像データに対応するライブビュー画像を表示部２１に表示させるライブビュー画像表示処理を実行する（ステップＳ１１１）。具体的には、撮像装置１は、画像処理設定部２９１によってピクチャーモードが設定されている場合、撮影した画像データに対してピクチャーモードで設定された処理項目に対応する画像処理を画像処理部１６に実行させて仕上がり効果画像データに対応するライブビュー画像を表示部２１に表示させる。また、撮像装置１は、画像処理設定部２９１によってピクチャーブラケットモードが設定されている場合、撮影した画像データに対してピクチャーブラケットモードで設定された処理項目に対応する複数の画像処理をそれぞれ画像処理部１６に実行させ、ピクチャーモードで設定された処理項目を施した画像データに対応するライブビュー画像に、ピクチャーブラケットモードで設定された複数の処理項目それぞれに応じた複数の画像を合成して表示部２１に表示させる。
【００９１】
続いて、制御部２９は、電源スイッチ２０１が操作されることにより、撮像装置１の電源がオフされたか否かを判断する（ステップＳ１１２）。撮像装置１の電源がオフされたと制御部２９が判断した場合（ステップＳ１１２：Ｙｅｓ）、撮像装置１は、本処理を終了する。これに対して、撮像装置１の電源がオフされていないと制御部２９が判断した場合（ステップＳ１１２：Ｎｏ）、撮像装置１は、ステップＳ１０２へ戻る。
【００９２】
ステップＳ１０８において、レリーズスイッチ２０２からセカンドレリーズ信号が入力された場合（ステップＳ１０８：Ｙｅｓ）について説明する。この場合、制御部２９は、シャッタ駆動部１１および撮像素子駆動部１３それぞれを駆動することにより、メカシャッタによる撮影を行う（ステップＳ１１３）。
【００９３】
続いて、撮像装置１は、撮影した画像データに対して設定された画像処理を行って所定時間（たとえば３秒）だけレックビュー表示を行った後に、画像データをＪＥＰＧ形式で画像圧縮展開部１９に圧縮させ、この圧縮した画像データを記録媒体２３に記録する画像処理・レックビュー表示・静止画記録処理を実行する（ステップＳ１１４）。なお、画像処理・レックビュー表示・静止画記録処理の詳細については後述する。ステップＳ１１４の後、撮像装置１は、ステップＳ１１２へ移行する。
【００９４】
ステップＳ１０７において、レリーズスイッチ２０２からファーストレリーズ信号が入力された場合（ステップＳ１０７：Ｙｅｓ）について説明する。この場合、制御部２９は、ＡＥ処理部１７に露出を調整するＡＥ処理およびＡＦ処理部１８にピントを調整するＡＦ処理をそれぞれ実行させる（ステップＳ１１５）。その後、撮像装置１は、ステップＳ１１２へ移行する。
【００９５】
ステップＳ１０６において、撮像装置１が動画の記録中である場合（ステップＳ１０６：Ｙｅｓ）について説明する。この場合、制御部２９は、ＡＥ処理部１７に露出を調整するＡＥ処理を実行させる（ステップＳ１１６）。
【００９６】
続いて、制御部２９は、撮像素子駆動部１３を駆動することにより、電子シャッタによる撮影を実行する（ステップＳ１１７）。
【００９７】
その後、画像処理制御部２９２は、画像データに対して、ピクチャーモードで設定された処理項目に対応する処理を画像処理部１６に実行させる（ステップＳ１１８）。たとえば、画像処理制御部２９２は、ピクチャーモードで仕上がり処理の処理項目Ｖｉｖｉｄが設定された場合、画像データに対してＶｉｖｉｄに対応する仕上がり処理を基本画像処理部１６１に実行させる。また、画像処理制御部２９２は、ピクチャーモードで特殊効果処理の処理項目ファンタジックフォーカスが設定された場合、画像データに対してファンタジックフォーカスに対応する特殊効果処理を特殊効果画像処理部１６２に実行させる。
【００９８】
続いて、表示制御部２９３は、画像処理部１６が画像処理を施した画像データに対応するライブビュー画像を表示部２１に表示させる（ステップＳ１１９）。
【００９９】
その後、制御部２９は、画像データを画像圧縮展開部１９に圧縮させ、この圧縮した画像データを記録媒体２３に作成された動画ファイルに動画として記録させる（ステップＳ１２０）。その後、撮像装置１は、ステップＳ１１２へ移行する。
【０１００】
ステップＳ１０５において、動画スイッチ２０７が操作された場合（ステップＳ１０５：Ｙｅｓ）について説明する。この場合、制御部２９は、オン状態で動画の記録中であることを示す記録中フラグを反転する（ステップＳ１２１）。
【０１０１】
続いて、制御部２９は、ＳＤＲＡＭ２５に記録された記録中フラグがオン状態であるか否かを判断する（ステップＳ１２２）。記録中フラグがオン状態であると制御部２９が判断した場合（ステップＳ１２２：Ｙｅｓ）、制御部２９は、記録媒体２３に画像データを時系列に沿って記録するための動画ファイルを記録媒体２３に生成し（ステップＳ１２３）、撮像装置１は、ステップＳ１０６へ移行する。一方、記録中フラグがオンでないと制御部２９が判断した場合（ステップＳ１２３：Ｎｏ）、撮像装置１は、ステップＳ１０６へ移行する。
【０１０２】
ステップＳ１０２において、再生スイッチ２０６が操作された場合（ステップＳ１０２：Ｙｅｓ）について説明する。この場合、表示制御部２９３は、バス２８およびメモリＩ／Ｆ２４を介して記録媒体２３から画像データを取得し、取得した画像データを画像圧縮展開部１９で展開させて表示部２１に表示させる再生表示処理を行う（ステップＳ１２４）。その後、撮像装置１は、ステップＳ１１２へ移行する。
【０１０３】
つぎに、図６のステップＳ１１４の画像処理・レックビュー表示・静止画記録処理について説明する。図７は、図６で説明した画像処理・レックビュー表示・静止画記録処理の概要を示すフローチャートである。
【０１０４】
図７に示すように、画像処理部１６は、画像データに対して、ピクチャーモードで設定された処理項目に応じた画像処理を行う（ステップＳ２０１）。具体的には、画像処理部１６は、バス２８を介してＳＤＲＡＭ２５から画像データ（ＲＡＷデータ）を取得し、取得した画像データに対してピクチャーモードで画像処理設定部２９１によって設定された処理項目に応じた処理を施してＳＤＲＡＭ２５に出力する。
【０１０５】
続いて、表示制御部２９３は、画像処理部１６がピクチャーモードで設定された処理項目に応じた処理を施した画像データに対応する画像を表示部２１にレックビュー表示させる（ステップＳ２０２）。
【０１０６】
その後、制御部２９は、表示部２１が画像のレックビュー表示を行ってから所定時間（たとえば３秒）経過したか否かを判断する（ステップＳ２０３）。表示部２１が画像のレックビュー表示を行ってから所定時間経過したと制御部２９が判断した場合（ステップＳ２０３：Ｙｅｓ）、撮像装置１は、ステップＳ２０４へ移行する。一方、表示部２１が画像のレックビュー表示を行ってから所定時間経過していないと制御部２９が判断した場合（ステップＳ２０３：Ｎｏ）、撮像装置１は、この判断を続ける。
【０１０７】
ステップＳ２０４において、制御部２９は、画像処理部１６が画像処理を行った画像データをＪＥＰＧ形式で画像圧縮展開部１９に圧縮させ、この圧縮した画像データを静止画として記録媒体２３に記録する。なお、制御部２９は、画像圧縮展開部１９がＪＥＰＧ形式で圧縮した画像データと、画像処理部１６が画像処理を行っていないＲＡＷデータとを対応付けて記録媒体２３に記録させてもよい。
【０１０８】
続いて、制御部２９は、ピクチャーブラケットモードが設定されているか否かを判断する（ステップＳ２０５）。具体的には、制御部２９は、ピクチャーブラケットモードの設定フラグがオン状態であるか否かを判断する。ピクチャーブラケットモードが設定されていると制御部２９が判断した場合（ステップＳ２０５：Ｙｅｓ）、撮像装置１は、後述するステップＳ２０６へ移行する。一方、ピクチャーブラケットモードが設定されていないと制御部２９が判断した場合（ステップＳ２０５：Ｎｏ）、撮像装置１は、図６のメインルーチンへ戻る。
【０１０９】
ステップＳ２０６において、ピクチャーブラケットモードで設定された処理項目を選択するスライドレックビュー選択処理を実行する（ステップＳ２０６）。
【０１１０】
図８は、図７のステップＳ２０６のスライドレックビュー選択処理の概要を示すフローチャートである。
【０１１１】
図８に示すように、制御部２９は、ピクチャーブラケットモードで設定された処理項目の順番を示すカウンタを初期化する（ステップＳ３０１）。具体的には、制御部２９は、ピクチャーブラケットモードで設定された処理項目の順番を示すカウンタを初期化する（ｉ＝１）。
【０１１２】
続いて、制御部２９は、選択マーカー配列を初期化する（ステップＳ３０２）。具体的には、制御部２９は、ピクチャーブラケットモードで設定された各処理項目（ｍ［ｎ］）に対して静止画として記録することを示す記録フラグを全てオフ状態（０）に設定する。なお、ｎは、ピクチャーブラケットモードで設定された特殊効果処理の処理項目の全体数を示し、ｍは、各処理項目の記録フラグの状態を示す。
【０１１３】
その後、制御部２９は、画像データに対して、ピクチャーブラケットｉ番目の設定に応じた画像処理を画像処理部１６に実行させる（ステップＳ３０３）。この際、制御部２９は、画像処理部１６がピクチャーブラケットｉ番目の設定に応じた画像処理を施した処理画像データをＳＤＲＡＭ２５に記録（格納）する。
【０１１４】
続いて、表示制御部２９３は、画像処理部１６がピクチャーブラケットｉ番目の設定に応じて画像処理を施した処理画像データに対応する処理画像を表示部２１にレックビュー表示させる（ステップＳ３０４）。
【０１１５】
その後、制御部２９は、タッチパネル２０８または操作スイッチ２０４を介して表示部２１がレックビュー表示する処理画像を選択したか否かを判断する（ステップＳ３０５）。表示部２１がレックビュー表示する処理画像を選択した場合（ステップＳ３０５：Ｙｅｓ）、制御部２９は、選択マーカー配列のｉ番目に記録フラグ（ｍ［ｉ］＝１）を設定する（ステップＳ３０６）。
【０１１６】
続いて、表示制御部２９３は、選択されたことを示す選択アイコンを表示部２１に表示させる（ステップＳ３０７）。
【０１１７】
その後、制御部２９は、表示部２１が画像処理部１６によって画像処理が施された処理画像データに対応する処理画像のレックビュー表示を行ってから所定時間経（たとえば２秒）過したか否かを判断する（ステップＳ３０８）。表示部２１が画像処理部１６によって画像処理が施された処理画像データに対応する処理画像のレックビュー表示を行ってから所定時間経過したと制御部２９が判断した場合（ステップＳ３０８：Ｙｅｓ）、撮像装置１は、後述するステップＳ３１１へ移行する。一方、表示部２１が画像処理部１６によって画像処理が施された処理画像データに対応する処理画像のレックビュー表示を行ってから所定時間経過していないと制御部２９が判断した場合（ステップＳ３０８：Ｎｏ）、撮像装置１は、ステップＳ３０５へ戻る。
【０１１８】
ステップＳ３０５において、表示部２１がレックビュー表示する処理画像が選択されていない場合（ステップＳ３０５：Ｎｏ）について説明する。この場合、制御部２９は、選択マーカー配列のｉ番目の記録フラグをクリア（ｍ［ｉ］＝０）に設定する（ステップＳ３０９）。
【０１１９】
続いて、表示制御部２９３は、選択されていないことを示す非選択アイコンを表示部２１に表示させ（ステップＳ３１０）、撮像装置１は、ステップＳ３０８へ移行する。
【０１２０】
図９は、スライドレックビュー選択処理において表示制御部２９３が表示部２１に表示させるレックビュー画像の一例を示す図である。なお、図９においては、ピクチャーブラケットで設定された処理項目の数が４つの場合について説明する。
【０１２１】
図９に示すように、表示制御部２９３は、画像処理部１６が生成した各処理画像Ｗ１００〜Ｗ１０４を、表示部２１に表示画面上の左から所定時間ごとに徐々にずらして重ねながら表示部２１に順次表示させる（図９（ａ）→図９（ｂ）→図９（ｃ）→図９（ｄ））。
【０１２２】
図９に示す場合、表示制御部２９３は、タッチパネル２０８または操作スイッチ２０４を介し選択する指示信号が入力された場合、選択アイコンＡ１を現在の画像上に重畳して表示部２１に表示させる。具体的には、表示制御部２９３は、表示部２１に処理画像Ｗ１００を表示させている場合において、操作スイッチ２０４から処理画像Ｗ１００を選択する指示信号が入力されたとき、選択アイコンＡ１を処理画像Ｗ１００上に重畳して表示部２１に表示させる。また、表示制御部２９３は、表示部２１に処理画像Ｗ１０３を表示させている場合において、操作スイッチ２０４から処理画像Ｗ１０３を選択する指示信号が入力されていないとき、非選択アイコンＡ２を処理画像Ｗ１０３上に重畳して表示部２１に表示させる。さらに、表示制御部２９３は、表示部２１が順次表示する処理画像に施された処理項目名に関する情報を重畳して表示させてもよい（Ｎａｔｕｒａｌ→ファンタジックフォーカス→トイフォト→ラフモノクローム）。
【０１２３】
なお、図９において、制御部２９は、ユーザによってタッチパネル２０８がタッチされたり、操作スイッチ２０４が操作されるたび、選択と非選択とを切り替える。これにより、ユーザが間違えた場合であっても、所定時間内であれば選択に関する設定を変更することができる。また、初期設定でピクチャーブラケットの処理項目を全選択にした状態であってもよい。さらに、初期設定でピクチャーブラケットの処理項目を非選択にした状態であってもよい。これにより、ユーザが操作しない限り、表示部２１によって処理画像がレックビュー表示のみされる。なお、図９においては、表示制御部２９３は、各画像Ｗ１００〜Ｗ１０４を徐々にずらして重ねながら表示部２１に表示させていたが、同じ表示部２１の表示領域上に各画像Ｗ１００〜Ｗ１０４を所定時間ごとに切り換えながら表示させてもよい。
【０１２４】
また、図９の処理画像Ｗ１０２においては、処理項目ファンタジックフォーカスを表現するため、被写体の輪郭を点線で表現した。さらに、処理画像Ｗ１０３においては、処理項目トイフォトを表現するため、被写体の周囲にシェーディングを施すとともに、被写体の周囲にノイズ（ドット）を付加して表現した。さらにまた、処理画像Ｗ１０４においては、処理項目ラフモノクロームを表現するため、画像全体にノイズ（ドット）を重畳して表現した。
【０１２５】
ステップＳ３１１において、制御部２９は、選択されたピクチャーブラケットの処理項目のカウンタをインクリメント（ｉ＝ｉ＋１）し、設定されたピクチャーブラケットの処理項目が全処理終了（ｉ＞ｎ？）したか否かを判断する（ステップＳ３１２）。設定されたピクチャーブラケットの処理項目が全処理終了したと制御部２９が判断した場合（ステップＳ３１２：Ｙｅｓ）、撮像装置１は、図７の画像処理・レックビュー表示・静止画記録処理へ戻る。この際、制御部２９は、選択マーカー配列［ｍ］の記録フラグの内容をＳＤＲＡＭ２５に記録する。さらに、画像処理部１６は、表示部２１が処理画像をレックビュー表示している際に、つぎの画像処理を行ってもよい。一方、設定されたピクチャーブラケットの処理項目が全処理終了してないと制御部２９が判断した場合（ステップＳ３１２：Ｎｏ）、撮像装置１は、ステップＳ３０３へ戻る。この際、表示部２１が処理画像をレックビュー表示して際に、画像処理部１６が次の画像処理を行うようにしてもよい。さらに、表示部２１が処理画像をレックビュー表示している際に、つぎの画像処理がキャンセルできるようにしてもよく、途中で処理予定の画像処理がキャンセルされた場合、残りの画像処理を行って、キャンセルされた画像処理のレックビュー表示を行わず、残りの画像処理を選択または非選択できるようにしてもよい。
【０１２６】
図７に戻り、ステップＳ２０７以降の説明を続ける。ステップＳ２０７において、制御部２９は、スライドレックビュー選択処理で選択されたピクチャーブラケットの処理項目のカウンタを初期化（ｉ＝１）する。
【０１２７】
続いて、制御部２９は、ｉ番目の処理項目が静止画として記録する選択（ｍ［１］＝１？）が行われているか否かを判断する（ステップＳ２０８）。具体的には、制御部２９は、現在の処理項目に対して静止画として記録することを示す記録フラグが立っているか否かを判断する。ｉ番目の処理項目が静止画として記録する選択が行われていると制御部２９が判断した場合（ステップＳ２０８：Ｙｅｓ）、撮像装置１は、ステップＳ２０９へ移行する。一方、ｉ番目の処理項目が静止画として記録する選択が行われていないと制御部２９が判断した場合（ステップＳ２０８：Ｎｏ）、撮像装置１は、ステップＳ２１０へ移行する。
【０１２８】
ステップＳ２０９において、画像処理制御部２９２は、ｉ番目の画像処理結果に対応する処理画像データを静止画として記録媒体２３に記録する。
【０１２９】
その後、制御部２９は、選択されたピクチャーブラケットの処理項目のカウンタをインクリメント（ｉ＝ｉ＋１）し（ステップＳ２１０）、選択されたピクチャーブラケットの処理項目が全処理終了（ｉ＞ｎ？）したか否かを判断する（ステップＳ２１１）。選択されたピクチャーブラケットの処理項目が全処理終了したと制御部２９が判断した場合（ステップＳ２１１：Ｙｅｓ）、撮像装置１は、図６のメインルーチンへ戻る。一方、選択されたピクチャーブラケットの処理項目が全処理終了していないと制御部２９が判断した場合（ステップＳ２１１：Ｎｏ）、撮像装置１は、ステップＳ２０８へ戻る。
【０１３０】
以上説明した本発明の実施の形態１によれば、撮影した直後に表示部２１が表示する各処理画像のレックビュー表示を確認しながらピクチャーブラケットモードに関するピクチャーブラケットの処理項目の設定を行うことができるとともに、所望の処理画像を記録媒体２３に記録することができる。
【０１３１】
また、本発明の実施の形態１によれば、撮影した直後に表示部２１が表示する処理画像のレックビュー表示を確認することにより、所望の仕上がりが得られたか否かを容易に判断しながらピクチャーブラケットの設定と変更とを行うことができる。
【０１３２】
（実施の形態１の変形例１）
なお、本実施の形態１では、表示部２１が表示する画像のレックビュー表示を変更することも可能である。図１０は、本実施の形態１の変形例１にかかる表示部が表示する画像のレックビュー表示の表示方法を説明する図である。
【０１３３】
図１０に示すように、表示制御部２９３は、ライブビュー画像Ｗ１１０上に画像処理部１６が生成した処理画像Ｗ１００〜Ｗ１０４を重畳してレックビュー表示を表示部２１に表示させてもよい。この際、表示制御部２９３は、タッチパネル２０８または操作スイッチ２０４を介して処理画像Ｗ１００〜Ｗ１０４のいずれかが選択された場合、選択された処理画像に対して静止画として記録することを示す情報を表示部２１に表示させる。たとえば、タッチパネル２０８を介してユーザが処理画像Ｗ１００および処理画像Ｗ１０４をタッチした場合、静止画として記録することを示す情報として処理画像Ｗ１００および処理画像Ｗ１０４の外縁を太くして表示部２１に表示させる。
【０１３４】
以上説明した本発明の実施の形態１の変形例１によれば、ユーザがピクチャーブラケットに関する設定と変更を他の処理画像と比べながら直感的に行うことができる。
【０１３５】
なお、本実施の形態１の変形例１では、表示制御部２９３がユーザによって選択された静止画として記録する処理画像の外縁を太くするだけでなく、選択された処理画像に対してハイライト表示や処理画像上にアイコン等を表示させてもよい。
【０１３６】
（実施の形態１の変形例２）
つぎに、本発明の実施の形態１の変形例２について説明する。本実施の形態１の変形例２は、上述した実施の形態１のスライドレックビュー選択処理が異なる。このため、以下においては、本実施の形態１の変形例２のスライドレックビュー選択処理について説明する。なお、上述した実施の形態１と同一の構成には同一の符号を付して説明する。
【０１３７】
図１１は、本実施の形態１の変形例２にかかる撮像装置１が実行するスライドレックビュー選択処理（図７のステップＳ２０６）の概要を示すフローチャートである。
【０１３８】
図１１において、ステップＳ４０１およびステップＳ４０２は、図８のステップＳ３０１およびステップＳ３０２にそれぞれ対応する。
【０１３９】
ステップＳ４０３において、制御部２９は、画像データに対して、ピクチャーブラケットの設定に応じた全ての処理項目の画像処理を画像処理部１６に実行させる（ステップＳ４０３）。具体的には、制御部２９は、ピクチャーブラケットの設定でＮａｔｕｒａｌ、ファンタジックフォーカス、トイフォト、ラフモノクロームが設定されている場合、全ての処理項目を画像処理部１０に実行させて各画像処理が施された４つの処理画像を生成させる。
【０１４０】
続いて、表示制御部２９３は、画像処理部１６が生成した全ての処理画像（たとえば図９の画像Ｗ１００〜Ｗ１０３を参照）を所定時間毎に順次切り換えながら表示部２１にレックビュー表示させる（ステップＳ４０４）。
【０１４１】
ステップＳ４０５〜ステップＳ４０７は、図８のステップＳ３０５〜ステップＳ３０７にそれぞれ対応する。また、ステップＳ４０９およびステップＳ４１０は、図８のステップＳ３０９およびステップＳ３１０にそれぞれ対応する。
【０１４２】
ステップＳ４０８において、制御部２９は、カウントアップ操作が行われたか否かを判断する。具体的には、制御部２９は、操作スイッチ２０４の上方向スイッチ２０４ａまたは操作スイッチ２０４の左方向スイッチ２０４ｃが操作されたか、またはレンズ操作部３５が左方向に回転されたか否かを判断する。カウントアップ操作が行われたと制御部２９が判断した場合（ステップＳ４０８：Ｙｅｓ）、撮像装置１は、ステップＳ４１１へ移行する。一方、カウントアップ操作が行われていないと制御部２９が判断した場合（ステップＳ４０８：Ｎｏ）、撮像装置１は、ステップＳ４１２へ移行する。
【０１４３】
ステップＳ４１１において、制御部２９は、選択されたピクチャーブラケットの処理項目のカウンタをインクリメント（ｉ＝ｉ＋１）する。
【０１４４】
続いて、制御部２９は、カウントダウン操作が行われたか否かを判断する（ステップＳ４１２）。具体的には、制御部２９は、操作スイッチ２０４の下方向スイッチ２０４ｂまたは操作スイッチ２０４の右方向スイッチ２０４ｄが操作されたか、またはレンズ操作部３５が右方向に回転されたか否かを判断するカウントダウン操作が行われたと制御部２９が判断した場合（ステップＳ４１２：Ｙｅｓ）、制御部２９は、選択されたピクチャーブラケットの処理項目のカウンタをデクリメント（ｉ＝ｉ−１）する（ステップＳ４１３）。ステップＳ４１３の後、撮像装置１は、ステップＳ４１４へ移行する。
【０１４５】
ステップＳ４１２において、カウントダウン操作が行われていないと制御部２９が判断した場合（ステップＳ４１２：Ｎｏ）、撮像装置１は、ステップＳ４１４へ移行する。
【０１４６】
続いて、制御部２９は、スライドレックビュー終了操作が行われたか否かを判断する（ステップＳ４１４）。具体的には、制御部２９は、レリーズスイッチ２０２が半押しされることにより、ファーストレリーズ信号が入力されたか、メニュースイッチ２０５が操作されることにより、スライドレックビューの終了を指示する指示信号が入力されたか、ユーザが最後に操作を行ってから所定時間（たとえば３秒）経過したか否かを判断する。スライドレックビュー終了操作が行われたと制御部２９が判断した場合（ステップＳ４１４：Ｙｅｓ）、撮像装置１は、図６の画像処理・レックビュー表示・静止画記録処理へ戻る。この際、制御部２９は、選択マーカー配列［ｍ］の記録フラグの内容をＳＤＲＡＭ２５に記録する。これに対して、スライドレックビュー終了操作が行われていないと制御部２９が判断した場合（ステップＳ４１４：Ｎｏ）、撮像装置１は、ステップＳ４０４へ戻る。
【０１４７】
以上説明した本発明の実施の形態１の変形例２によれば、ユーザが撮像装置１で撮影しながらピクチャーブラケットモードに関する設定と変更を容易に行うことができる。
【０１４８】
（実施の形態２）
つぎに、本発明の実施の形態２について説明する。本実施の形態２は、上述した実施の形態１の設定処理が異なる。このため、以下においては、本実施の形態２の設定処理について説明する。なお、上述した実施の形態１と同一の構成には同一の符号を付して説明する。
【０１４９】
図１２は、本実施の形態２にかかる撮像装置１が実行する設定処理（図６のＳ１０４）であり、ピクチャーブラケット設定処理の概要を示すフローチャートである。具体的には、表示部２１がピクチャーブラケット設定画面Ｗ５を表示している場合（図５（ｂ）を参照）において、ＯＮアイコン５１が選択されてハイライト表示しているとき、ユーザが操作スイッチ２０４の決定スイッチ２０４ｅを操作して確定したとき、表示部２１がピクチャーブラケットモード選択画面Ｗ６（図５（ｃ）を参照）を表示することなく、撮像装置１が実行する処理である。
【０１５０】
図１２に示すように、制御部２９は、ピクチャーブラケットモードが設定されているか否かを判断する（ステップＳ５０１）。たとえば、制御部２９は、表示部２１がピクチャーブラケットモード設定画面Ｗ５を表示している場合（図５（ｂ）を参照）において、ＯＮアイコン５１が選択されてハイライト表示しているとき、ユーザが操作スイッチ２０４の決定スイッチ２０４ｅを操作することにより、ピクチャーブラケットモードを撮像装置１に設定する指示信号が入力されたか否かを判断する。ピクチャーブラケットモードが設定されていると制御部２９が判断した場合（ステップＳ５０１：Ｙｅｓ）、撮像装置１は、ステップＳ５０２へ移行する。一方、ピクチャーブラケットモードが設定されていないと制御部２９が判断した場合（ステップＳ５０１：Ｎｏ）、撮像装置１は、図５(ｂ)を表示している状態へ戻る。
【０１５１】
続いて、撮像装置１は、静止画撮影を行う（ステップＳ５０２）。この場合、撮影した画像データ（ＲＡＷデータ）をＳＤＲＡＭ２５に記録する。
【０１５２】
その後、制御部２９は、ピクチャーブラケットの処理項目を全選択に設定する（ステップＳ５０３）。
【０１５３】
続いて、撮像装置１は、ピクチャーブラケットで設定された処理項目を選択するスライドレックビュー選択処理（図８または図１１を参照）を実行する（ステップＳ５０４）。
【０１５４】
その後、制御部２９は、スライドレックビュー選択処理で選択されたピクチャーブラケットの処理項目のカウンタを初期化（ｉ＝１）する（ステップＳ５０５）。
【０１５５】
続いて、制御部２９は、ｉ番目の処理項目が静止画として記録する選択（（ｍ［ｉ］＝１？）が行われているか否かを判断する（ステップＳ５０６）。ｉ番目の処理項目が静止画として記録する選択が行われていると制御部２９が判断した場合（ステップＳ５０６：Ｙｅｓ）、撮像装置１は、ステップＳ５０９へ移行する。
【０１５６】
続いて、画像処理制御部２９２は、選択されたピクチャーブラケットの処理項目のカウンタをインクリメント（ｉ＝ｉ＋１）する（ステップＳ５０７）。その後、撮像装置１は、ステップＳ５０９へ移行する。
【０１５７】
ステップＳ５０６において、ｉ番目の処理項目が静止画として記録する選択が行われていないと制御部２９が判断した場合（ステップＳ５０６：Ｎｏ）、撮像装置１は、ステップＳ５０８へ移行する。
【０１５８】
続いて、画像処理制御部２９２は、ピクチャーブラケット設定のｉ番目の選択を解除する（ステップＳ５０８）。たとえば、画像処理制御部２９２は、ユーザによってピクチャーブラケットでファンタジックフォーカスが選択された場合において、スライドレックビュー選択処理で静止画として記録する処理項目として選択されていないとき、ファンタジックフォーカスをピクチャーブラケットの処理項目から解除する。ステップＳ５０８の後、撮像装置１は、ステップＳ５０７へ移行する。
【０１５９】
ステップＳ５０９において、制御部２９は、選択されたピクチャーブラケットの処理項目が全処理終了（ｉ＞ｎ？）したか否かを判断する。選択されたピクチャーブラケットの処理項目が全処理終了したと制御部２９が判断した場合（ステップＳ５０９：Ｙｅｓ）、撮像装置１は、ステップＳ５１０へ移行する。一方、選択されたピクチャーブラケットの処理項目が全処理終了していないと制御部２９が判断した場合（ステップＳ５０９：Ｎｏ）、撮像装置１は、ステップＳ５０６へ戻る。
【０１６０】
ステップＳ５１０において、制御部２９は、ピクチャーブラケットの設定をＦｌａｓｈメモリ２６に記録する。これにより、撮像装置１の次回起動時もピクチャーブラケットの設定を反映することができる。ステップＳ５１０の後、撮像装置１は、図５（ｂ）の表示部２１がピクチャーブラケットモード設定画面Ｗ５を表示している状態へ戻り、図６のメインルーチンへ復帰する。
【０１６１】
以上説明した本発明の実施の形態２によれば、ユーザが撮影を行う前に、ピクチャーブラケットモードで設定した各処理項目に対応する処理画像を表示させる。これにより、ユーザは、静止画として記録するピクチャーブラケットの処理項目を実際の処理画像を用いて直感的に把握することができ、撮影する前に静止画として記録するピクチャーブラケットの処理項目を容易に判断することができる。
【０１６２】
（実施の形態３）
つぎに、本発明の実施の形態３について説明する。本実施の形態３は、上述した実施の形態と画像処理・レックビュー表示・静止画記録処理が異なる。このため、以下においては、本実施の形態３の画像処理・レックビュー表示・静止画記録処理について説明する。なお、上述した実施の形態１と同一の構成には同一の符号を付して説明する。
【０１６３】
図１３は、本実施の形態３にかかる撮像装置１が実行する画像処理・レックビュー表示・静止画記録処理（図６のＳ１１４）の概要を示すフローチャートである。
【０１６４】
図１３において、ステップＳ６０１〜ステップＳ６０９は、図７のステップＳ２０１〜ステップＳ２０９にそれぞれ対応する。
【０１６５】
ステップＳ６１０において、画像処理制御部２９２は、ピクチャーブラケットの設定から選択されなかったｉ番目の処理項目を解除する。具体的には、画像処理制御部２９２は、ｉ番目のピクチャーブラケット選択の処理項目を静止画として記録するピクチャーブラケットの設定から解除する。この場合、画像処理制御部２９２は、Ｆｌａｓｈメモリ２６に解除した情報を記録する。これにより、撮像装置１は、次回のピクチャーブラケットで撮影した際に、解除した処理項目を行わない。ステップＳ６１０の後、撮像装置１は、ステップＳ６０９へ移行する。
【０１６６】
ステップＳ６１１およびステップＳ６１２は、図７のステップＳ２１０およびステップＳ２１１にそれぞれ対応する。
【０１６７】
以上説明した本発明の実施の形態３によれば、ピクチャーブラケットモードで設定された処理項目を全て静止画として記録しつつ、レックビュー表示時に選択されなかった処理画像に対応する処理項目を次回のピクチャーブラケットの設定から解除する。これにより、ユーザは、静止画として記録するピクチャーブラケットの処理項目を実際の処理画像を用いて直感的に把握することができ、次回の撮影時に所望のピクチャーブラケットの処理項目のみを反映することができる。
【０１６８】
なお、本実施の形態３では、画像処理制御部２９２は、ピクチャーブラケットの設定から選択されなかったｉ番目の処理項目を解除するのみであったが、選択されなかった処理項目の処理画像を記録媒体２３に記録させなくてもよい。
【０１６９】
（実施の形態４）
つぎに、本発明の実施の形態４について説明する。本実施の形態４は、上述した実施の形態と画像処理・レックビュー表示・静止画記録処理が異なる。このため、以下においては、本実施の形態４の画像処理・レックビュー表示・静止画記録処理について説明する。なお、上述した実施の形態１と同一の構成には同一の符号を付して説明する。
【０１７０】
図１４は、本実施の形態４にかかる撮像装置１が実行する画像処理・レックビュー表示・静止画記録処理（図６のＳ１１４）の概要を示すフローチャートである。
【０１７１】
図１４において、ステップＳ７０１〜ステップＳ７０９は、図７のステップＳ２０１〜ステップＳ２０９にそれぞれ対応する。
【０１７２】
ステップＳ７１０において、画像処理制御部２９２は、選択されなかったｉ番目の画像処理結果に対応する処理画像データのデータ量を画像処理部１６に縮小させて記録する。具体的には、画像処理制御部２９２は、画像処理部１６に選択されなかったｉ番目の画像処理結果に対応する処理画像データに対して、たとえばＶＧＡサイズやＳＶＧＡ等にリサイズ処理を行うことにより、ｉ番目の画像処理結果のデータ量を縮小して記録媒体２３に記録する。なお、画像処理制御部２９２は、処理画像データのサイズを縮小していたが、主要被写体または画像中心部のトリミング、あるいは処理画像の圧縮率を変更して高圧縮等によって画像処理部１６に実行させることで、処理画像に対応する処理画像データのデータ量を縮小するようにしてもよい。
【０１７３】
ステップＳ７１１およびステップＳ７１２は、図７のステップＳ２１０およびステップＳ２１１にそれぞれ対応する。
【０１７４】
以上説明した本発明の実施の形態４によれば、レックビュー表示時にピクチャーブラケットの設定から選択されなかった処理項目を縮小して記録媒体２３に記録する。これにより、記録媒体２３の記録容量を節約することができる。
【０１７５】
（実施の形態５）
つぎに、本発明の実施の形態５について説明する。本実施の形態５は、上述した実施の形態と画像処理・レックビュー表示・静止画記録処理が異なる。このため、以下においては、本実施の形態５の画像処理・レックビュー表示・静止画記録処理について説明する。なお、上述した実施の形態１と同一の構成には同一の符号を付して説明する。
【０１７６】
図１５は、本実施の形態５にかかる撮像装置１が実行する画像処理・レックビュー表示・静止画記録処理（図６のＳ１１４）の概要を示すフローチャートである。
【０１７７】
図１５において、ステップＳ８０１〜ステップＳ８０８は、図７のステップＳ２０１〜ステップＳ２０８にそれぞれ対応する。
【０１７８】
ステップＳ８０９において、画像処理制御部２９２は、画像処理部１６にレックビュー表示時にタッチパネル２０８から入力されたタッチ位置を示す位置信号に基づいて、この位置に対応する領域の処理画像を他の処理項目の処理画像に画像合成を行う。
【０１７９】
図１６は、画像処理部１６がタッチパネル２０８から入力される位置信号に応じて各画像を合成して生成する合成画像の一例を示す図である。なお、図１６においては、ピクチャーブラケットで設定された処理項目の数が４つの場合について説明する。
【０１８０】
図１６に示すように、画像処理制御部２９２は、表示部２１が処理画像Ｗ２００を表示している場合において、ユーザがタッチパネル２０８を介して被写体Ｋ２にタッチしたとき（図１６（ａ））、タッチパネル２０８から入力される位置信号に対応する位置を含む領域（たとえば被写体Ｋ２の領域）を画像処理部１６に画像合成させる領域に設定するとともに、ピクチャーブラケットの処理項目（ポップアート）を画像処理部１６に設定する。
【０１８１】
続いて、画像処理制御部２９２は、表示部２１が処理画像Ｗ２０２を表示している場合において、ユーザがタッチパネル２０８を介して被写体Ｋ１をタッチしたとき（図１６（ｂ））、タッチパネル２０８から入力される位置信号に対応する位置を含む領域（たとえば被写体Ｋ１の領域）を画像処理部１６に画像合成させる領域に設定するとともに、この設定した領域に対してピクチャーブラケットの処理項目（ファンタジックフォーカス）を画像処理部１６に設定する。
【０１８２】
その後、画像処理制御部２９２は、表示部２１が処理画像Ｗ２０３を表示している場合において、所定時間内にタッチパネル２０８から位置信号が入力されないとき（図１６（ｃ））、画像処理部１６に画像合成させる領域を設定せず、つぎの画像の表示に移行する。
【０１８３】
続いて、画像処理制御部２９２は、表示部２１が処理画像Ｗ２０４を表示している場合において、ユーザがタッチパネル２０８を介して被写体Ｋ１および被写体Ｋ２以外の背景にタッチしたとき（図１６（ｄ））、タッチパネル２０８から入力される位置信号に対応する位置を含む背景領域（たとえば被写体Ｋ１および被写体Ｋ２の領域を除く）を画像処理部１６に画像合成させる領域に設定するとともに、この設定した領域に対してピクチャーブラケットの処理項目（ラフモノクローム）を画像処理部１６に設定する。
【０１８４】
このように、画像処理制御部２９２は、表示部２１が各処理画像Ｗ２００〜Ｗ２０４をレックビュー表示している場合において、タッチパネル２０８から入力される位置信号に応じて、画像処理部１６に画像合成させる領域および処理項目を設定する。これにより、図１７に示すように、画像処理部１６は、各処理画像Ｗ２００〜Ｗ２０４で選択された領域および処理項目を合成した合成画像Ｗ３００を生成する。
【０１８５】
図１５に戻り、ステップＳ８１０以降の説明を続ける。ステップＳ８１０およびステップＳ８１１は、図７のステップＳ２１０およびステップＳ２１１にそれぞれ対応する。
【０１８６】
続いて、画像処理制御部２９２は、画像処理部１６が生成した合成画像Ｗ３００を静止画として記録媒体２３に記録する（ステップＳ８１２）。その後、撮像装置１は、図６のメインルーチンへ戻る。
【０１８７】
以上説明した本発明の実施の形態５によれば、各処理画像のレックビュー表示時にタッチパネル２０８から入力される位置信号に応じた領域を画像合成する領域に設定するとともに、この設定された領域に対して現在のピクチャーブラケットの処理項目を画像処理部１６に設定する。これにより、ユーザが所望する領域に対してピクチャーブラケットで設定した各特殊効果を施した１つの合成画像を生成して記録媒体２３に記録することができる。
【０１８８】
また、本発明の実施の形態５によれば、ピクチャーブラケットで設定された処理項目の処理画像を合成して１つの合成画像を生成して記録媒体２３に記録するので、記録媒体２３の記録容量を節約することができる。
【０１８９】
（その他の実施の形態）
上述した実施の形態では、インターネットを介してパーソナルコンピュータやサーバ等の外部処理装置に接続することによって、プログラム記録部、特殊効果処理情報記録部、画像処理情報記録部に記録された各種情報の更新または書き換えを行ってもよい。これにより、撮像装置は、新たに追加された撮影モード、特殊効果処理および仕上がり効果処理を組み合わせて撮影を行うことができる。
【０１９０】
また、上述した実施の形態では、特殊効果処理の種類は、上述した内容に限定されず、たとえば、アート、ボール、カラーマスク、キューブ、ミラー、モザイク、セピア、白黒、ウェーブ、ボール枠、風船、ドラマチックトーン、ジェントルセピア、ロック、油絵、水彩画およびスケッチ等を追加することも可能である。
【０１９１】
また、上述した実施の形態では、撮像装置が画像処理部を１つ備えていたが、画像処理部の数は限定されず、たとえば画像処理部が２つであってもよい。
【０１９２】
また、上述した実施の形態では、撮影モード切換スイッチやレンズ操作部の操作に応じて画像処理設定部２９１が画像処理部１６に設定した特殊効果処理を解除または変更を行ってもよい。
【０１９３】
また、上述した実施の形態では、表示部が表示するライブビュー画像の表示について説明したが、たとえば本体部２に着脱自在な外部電子ビューファインダにおいても本発明を適用することができる。
【０１９４】
また、上述した実施の形態では、表示部が表示するライブビュー画像の表示について説明したが、たとえば表示部とは別に電子ビューファインダを本体部２に設け、この電子ビューファインダにおいて本発明を適用するようにしてもよい。
【０１９５】
また、上述した実施の形態では、レンズ部が本体部に着脱自在であったが、レンズ部と本体部とが一体的に形成されていてもよい。
【０１９６】
また、上述した実施の形態では、撮像装置をデジタル一眼デジタルカメラとして説明していたが、たとえば、デジタルビデオカメラ、カメラ付き携帯電話やパーソナルコンピュータ等の撮影機能を備えた各種電子機器に適用することができる。
【０１９７】
本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。さらに、処理を同時（並列）に実行するようにしてもよい。
【０１９８】
このように、本発明は、ここでは記載していない様々な実施の形態を含みうるものであり、特許請求の範囲によって特定される技術的思想の範囲内で種々の設計変更等を行うことが可能である。
【符号の説明】
【０１９９】
１              撮像装置
２              本体部
３              レンズ部
１０            シャッタ
１１            シャッタ駆動部
１２            撮像素子
１３            撮像素子駆動部
１４            信号処理部
１５            Ａ／Ｄ変換部
１６            画像処理部
１７            ＡＥ処理部
１８            ＡＦ処理部
１９            画像圧縮展開部
２０            入力部
２１            表示部
２２            表示駆動部
２３            記録媒体
２４            メモリＩ／Ｆ
２５            ＳＤＲＡＭ
２６            Ｆｌａｓｈメモリ
２７            本体通信部
２８            バス
２９            制御部
３１            光学系
３２            レンズ駆動部
３３            絞り
３４            絞り駆動部
３５            レンズ操作部
３６            レンズＦｌａｓｈメモリ
３７            レンズ通信部
３８            レンズ制御部
１６１          基本画像処理部
１６２          特殊効果画像処理部
２０１          電源スイッチ
２０２          レリーズスイッチ
２０３          撮影モード切換スイッチ
２０４          操作スイッチ
２０５          メニュースイッチ
２０６          再生スイッチ
２０７          動画スイッチ
２６１          プログラム記録部
２６２          特殊効果処理情報記録部
２６３          画像処理情報記録部
２９１          画像処理設定部
２９２          画像処理制御部
２９３          表示制御部
【図１】
0005878063.tif 000002
【図２】
0005878063.tif 000003
【図３】
0005878063.tif 000004
【図４】
0005878063.tif 000005
【図５】
0005878063.tif 000006
【図６】
0005878063.tif 000007
【図７】
0005878063.tif 000008
【図８】
0005878063.tif 000009
【図９】
0005878063.tif 000010
【図１０】
0005878063.tif 000011
【図１１】
0005878063.tif 000012
【図１２】
0005878063.tif 000013
【図１３】
0005878063.tif 000014
【図１４】
0005878063.tif 000015
【図１５】
0005878063.tif 000016
【図１６】
0005878063.tif 000017
【図１７】
0005878063.tif 000018